(57)【要約】【課題】  表示部分における防水性および耐衝撃性を確保すると共に、静電気対策をも図る。【解決手段】  表示パネル１７の表示領域を除いて、入力表示部１５を上部シールド板２１で覆い、この入力表示部１５の上面における外周部とこれに対応する上部シールド板２１の下面との間に第１クッション材２４を配置すると共に、この第１クッション材２４に対応する上部シールド板２１の上面と本体ケース１の上部ケース２の下面との間に第２クッション材２５を配置し、この上部シールド板２１を板ばね２９で回路基板２８のグランドに接続した。従って、外部からの衝撃を第１、第２クッション材２４、２５で確実に吸収することができると共に、防水性をも確保することができる。また、本体ケース１の上面に静電気が印加されて入力表示部１５に流れ込むときに、その静電気を上部シールド板２１によってグランドに落すことができるので、静電気対策をも図ることができる。【選択図】        図２
2005209868.tif 000002
【特許請求の範囲】
【請求項１】
表示用の開口部を有する本体ケースと、
この本体ケース内に前記開口部と対応して配置される表示パネルと、
この表示パネルの前記開口部に対応する表示領域を除いて、前記表示パネルを覆い、且つ基準電位に接続される導電性を有するシールド部材と、
前記表示パネルの表面における外周部と前記シールド部材との間、および前記シールド部材と前記本体ケースとの間に配置される防水性を有するクッション部材と
を備えたことを特徴とする電子機器。
【請求項２】
前記シールド部材は、前記表示パネルの前記表示領域を除いて、前記表示パネルの表面側を覆う上部シールド板と、前記表示パネルの裏面側を覆う下部シールド板とを備えていることを特徴とする請求項１に記載の電子機器。
【請求項３】
前記シールド部材は、前記本体ケース内に配置された回路基板のグランド電極に接続部材によって電気的に接続されていることを特徴とする請求項１または２に記載の電子機器。
【請求項４】
前記接続部材は、前記回路基板の前記グランド電極に固定されて前記上部シールド板に弾接する板ばねと、前記回路基板の前記グランド電極と前記下部シールド板との間に配置されてその両方に弾接するコイルばねとを備えていることを特徴とする請求項３に記載の電子機器。
【請求項５】
前記クッション部材は、前記表示パネルの表面側の外周部とこれに対応する前記シールド部材の裏面との間に配置される第１クッション材と、この第１クッション材に対応する前記シールド部材の表面と前記本体ケースの前記開口部の縁部との間に配置される第２クッション材と、前記表示パネルの裏面側に位置する前記シールド部材の裏面に配置される第３クッション材とを備えていることを特徴とする請求項１に記載の電子機器。
【請求項６】
前記クッション部材は、前記表示パネルを前記本体ケース内に配置して固定した際に、圧縮されて固定されることを特徴とする請求項１または５に記載の電子機器。
【請求項７】
前記表示パネルの表面には、入力機能を有する透明なタッチパネルが配置され、このタッチパネルの表面には、前記表示パネルの前記表示領域に対応する個所を除いて、前記シールド部材が配置されていることを特徴とする請求項１〜６のいずれかに記載の電子機器。
【発明の詳細な説明】
【技術分野】
【０００１】
この発明は、携帯情報端末機などの電子機器に関する。
【背景技術】
【０００２】
例えば、ＰＤＡ（パーソナル・デジタル・アシスタント）などの携帯情報端末機においては、本体ケースに表示用開口部を設け、この本体ケース内に表示パネルとタッチパネルとを重ね合わせた入力表示部を表示用開口部に対応させて設けることにより、本体ケースを片手で持ちながら表示用開口部を通して入力表示部を入力操作できるように構成したものがある。この種の携帯情報端末機は、屋内で使用するほかに、屋外でも使用できるので、携帯時における耐衝撃性を考慮する必要があるほか、雨天のときでも使用できるように防水性をも考慮する必要がある。
【０００３】
このような要望に応えるため、従来の携帯情報端末機においては、本体ケース内にシャーシを設け、このシャーシ上に表示パネルとタッチパネルとを重ね合わせた入力表示部を固定し、この入力表示部の表面における外周部と本体ケースの表示用開口部の縁部との間に防水と衝撃吸収とを目的とする環状のシール部材を介在させて、その両方にシール部材を接着剤によって接着させることにより疑似一体化した構成のものがある。
【特許文献１】特開２００２−２２９６７２号公報
【発明の開示】
【発明が解決しようとする課題】
【０００４】
しかしながら、このような従来の携帯情報端末機では、入力表示部の表面における外周部と本体ケースの表示用開口部の縁部との間に介在されたシール部材のみで、防水性を確保すると共に、外部からの衝撃を吸収しなければならないため、十分に防水性を確保することができないばかりか、衝撃をも十分に吸収することができないという問題がある。
また、この従来の携帯情報端末機では、静電気対策が施されていないため、静電気が本体ケースの表面に印加されると、その静電気が本体ケースの表示用開口部から入力表示部に流れ込み、この流れ込んだ静電気が入力表示部をその厚み方向に通過し、入力表示部の表示パネルにノイズが発生するという問題がある。
【０００５】
この発明が解決しようとする課題は、表示部分における防水性および耐衝撃性を確保すると共に、静電気対策をも図ることができる電子機器を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図６に示すように、表示用の開口部（５）を有する本体ケース（１）と、この本体ケース内に前記開口部と対応して配置される表示パネル（１７）と、この表示パネルの前記開口部に対応する表示領域を除いて、前記表示パネルを覆い、且つ基準電位に接続される導電性を有するシールド部材（１６）と、前記表示パネルの表面における外周部と前記シールド部材との間、および前記シールド部材と前記本体ケースとの間に配置される防水性を有するクッション部材（２３）とを備えたことを特徴とする電子機器である。
【０００８】
請求項２に記載の発明は、図１〜図６に示すように、前記シールド部材（１６）が、前記表示パネル（１７）の前記表示領域を除いて、前記表示パネルの表面側を覆う上部シールド板（２１）と、前記表示パネルの裏面側を覆う下部シールド板（２２）とを備えていることを特徴とする請求項１に記載の電子機器である。
【０００９】
請求項３に記載の発明は、図１〜図６に示すように、前記シールド部材（１６）が、前記本体ケース（１）内に配置された回路基板（２８）のグランド電極（２８ａ）に接続部材（２７）によって電気的に接続されていることを特徴とする請求項１または２に記載の電子機器である。
【００１０】
請求項４に記載の発明は、図１〜図６に示すように、前記接続部材（２７）が、前記回路基板（２８）の前記グランド電極（２８ａ）に固定されて前記上部シールド板（２１）に弾接する板ばね（２９）と、前記回路基板の前記グランド電極と前記下部シールド板（２２）との間に配置されてその両方に弾接するコイルばね（３０）とを備えていることを特徴とする請求項３に記載の電子機器である。
【００１１】
請求項５に記載の発明は、図１〜図６に示すように、前記クッション部材（２３）が、前記表示パネル（１７）の表面側の外周部とこれに対応する前記シールド部材（１６）の裏面との間に配置される第１クッション材（２４）と、この第１クッション材に対応する前記シールド部材の表面と前記本体ケース（１）の前記開口部（５）の縁部との間に配置される第２クッション材（２５）と、前記表示パネルの裏面側に位置する前記シールド部材の裏面に配置される第３クッション材（２６）とを備えていることを特徴とする請求項１に記載の電子機器である。
【００１２】
請求項６に記載の発明は、図１〜図６に示すように、前記表示パネル（１７）を前記本体ケース（１）内に配置して固定した際に、前記クッション部材（２３）が圧縮されて固定されることを特徴とする請求項１または５に記載の電子機器である。
【００１３】
請求項７に記載の発明は、図１〜図６に示すように、前記表示パネル（１７）の表面に、入力機能を有する透明なタッチパネル（１８）が配置され、このタッチパネルの表面に、前記表示パネルの前記表示領域に対応する個所を除いて、前記シールド部材（１６）が配置されていることを特徴とする請求項１〜６のいずれかに記載の電子機器である。
【発明の効果】
【００１４】
請求項１に記載の発明によれば、本体ケース内に表示パネルを表示用の開口部に対応させて配置し、この表示パネルの表示領域を除いて、表示パネルをシールド部材で覆い、この表示パネルの表面における外周部とこれに対応するシールド部材との間、およびシールド部材と本体ケースとの間にそれぞれ防水性を有するクッション部材を配置したので、外部からの衝撃をシールド部材と本体ケースとの間のクッション部材で吸収すると共に、このクッション部材で吸収しきれない衝撃をシールド部材と表示パネルとの間のクッション部材で更に吸収することができ、これにより衝撃を確実に吸収することができるので、耐衝撃性を確保することができる。
【００１５】
この場合、特にクッション部材が防水性を有しているので、表示パネルとシールド部材との間、およびシールド部材と本体ケースとの間の防水性をも確保することができる。また、表示パネルを覆うシールド部材は、導電性を有し、且つ基準電位に接続されることにより、静電気が本体ケースの表面に印加されて本体ケースの開口部から表示パネルに流れ込むときに、その静電気をシールド部材に流して基準電位に落すことができるので、静電気が表示パネルをその厚み方向に通過するのを防ぐことができ、これにより表示パネルにおける静電気によるノイズの発生を防ぐことができるので、表示パネルに対する静電気対策をも図ることができる。
【００１６】
請求項２に記載の発明によれば、シールド部材が、表示パネルの表示領域を除いて、表示パネルの表面側を覆う上部シールド板と、表示パネルの裏面側を覆う下部シールド板とを備えていることにより、本体ケースの表面に印加された静電気が表示用の開口部から表示パネルの表面側に流れ込むときに、その静電気を上部シールド板でシールドすることができ、また本体ケース内で発生した静電気が表示パネルの裏面側に流れ込むときに、その静電気を下部シールド板でシールドすることができ、これにより確実に表示パネルの静電気対策を図ることができる。
【００１７】
請求項３に記載の発明によれば、シールド部材が本体ケース内に配置された回路基板のグランド電極に接続部材によって電気的に接続されていることにより、表示パネルの表裏面に流れ込む静電気をシールド部材でシールドすると共に、その静電気を接続部材によって回路基板のグランドに落すことができ、これにより静電気が表示パネルをその厚み方向に通過するのを確実に防ぐことができ、このため、より一層、確実に表示パネルに対する静電気対策を図ることができる。
【００１８】
請求項４に記載の発明によれば、接続部材が、回路基板のグランド電極に固定されて上部シールド板に弾接する板ばねと、回路基板のグランド電極と下部シールド板との間に配置されてその両方に弾接するコイルばねとを備えていることにより、シールド部材が上部シールド板と下部シールド板とに分割されていても、接続配線を引き回す必要がなく、上部シールド板と下部シールド板とを回路基板のグランド電極に簡単に且つ確実に接続することができ、これにより組み立て作業性の向上をも図ることができる。
【００１９】
請求項５に記載の発明によれば、クッション部材が、表示パネルの表面側の外周部とこれに対応するシールド部材の裏面との間に配置される第１クッション材と、この第１クッション材に対応するシールド部材の表面と本体ケースの開口部の縁部との間に配置される第２クッション材と、表示パネルの裏面側に位置するシールド部材の裏面に配置される第３クッション材とを備えていることにより、請求項１に記載の発明と同様、第１、第２クッション材によって外部からの衝撃に対して表示パネルを保護することができるほか、特に第１、第２クッション材によって吸収しきれない衝撃を第３クッション材によって吸収することができるので、より一層、耐衝撃性を高めることができる。
【００２０】
請求項６に記載の発明によれば、表示パネルを本体ケース内に配置して固定した際に、クッション部材が圧縮されて固定されていることにより、シールド部材と表示パネルの外周部との間、およびシールド部材と本体ケースとの間に配置されたクッション部材を接着剤で接着した場合、経年変化で接着剤が劣化しても、クッション部材が圧縮されて固定されているため、防水性が低下することがなく、長期間にわたって防水性を確保することができる。
【００２１】
請求項７に記載の発明によれば、表示パネルの表面に入力機能を有する透明なタッチパネルが配置されていることにより、表示機能と入力機能とを重ね合わせることができ、これにより機器全体をコンパクトに構成することができると共に、タッチパネルには、表示パネルの表示領域に対応する個所を除いて、シールド部材が配置されていることにより、請求項１に記載の発明と同様、表示パネルの表面にタッチパネルが配置されていても、タッチパネルおよび表示パネルに対する防水性および耐衝撃性を確保することができると共に、静電気対策をも確保することができる。
【発明を実施するための最良の形態】
【００２２】
以下、図１〜図６を参照して、この発明を携帯情報端末機に適用した一実施形態について説明する。
図１はこの発明の携帯情報端末機の外観斜視図、図２は図１のＡ−Ａ矢視における拡大断面図、図３は図２の内部構造を示した斜視図、図４は図３の要部を分解した斜視図である。
この携帯情報端末機は、図１に示すように、本体ケース１を備えている。この本体ケース１は、片手で持てる程度の大きさで、左右両側の中間部分がくびれた形状に形成されている。また、この本体ケース１は、図２に示すように、上部ケース２と下部ケース３とを上下に重ね合わせて取り付けた構成になっており、この本体ケース１の上端部には、図１に示すように、ロール紙などの記録紙を収納する用紙ホルダ４が取り付けられている。
【００２３】
この場合、本体ケース１の上面、つまり上部ケース２の上面における中央部には、図１に示すように、表示用の開口部５が設けられており、この上部ケース２の上面における下部側には、文字キーや数字キーなどの各種のキーが配列されたキー入力部６が設けられている。また、この上部ケース２の上部側には、スピーカ部７、押釦スイッチ８、および表示ランプ９が設けられているほか、プリンタ部１０も設けられている。このプリンタ部１０は、印字ヘッド（図示せず）を備え、この印字ヘッドで用紙ホルダ４内に収納されたロール紙などの記録紙４ａに順次情報を印字するように構成されている。なお、このプリンタ部１０は、用紙ホルダ４に回動可能に取り付けられた防滴カバー４ａによって開閉可能に覆われている。
【００２４】
また、本体ケース１の側面、つまり下部ケース３の側面には、図１に示すように、外部接続用の複数のコネクタ部１１および各押釦スイッチ１２が設けられている。一方、本体ケース１の内部には、図２に示すように、中ケース１３が配置されている。この中ケース１３は、その中央部にパネル収納部１４が上部ケース２の開口部５に対応して設けられ、上部ケース２の内面にビス（図示せず）によって取り付けられている。このパネル収納部１４内には、図２〜図４に示すように、入力表示部１５がシールド部材１６で覆われた状態で配置されている。入力表示部１５は、図４に示すように、表示パネル１７上に透明なタッチパネル１８を重ね合わせてなり、表示パネル１７に表示された情報がタッチパネル１８を通してその上方から見えるように構成されている。
【００２５】
すなわち、表示パネル１７は、液晶表示素子などの平面型の表示素子からなり、予め記憶された情報、およびタッチパネル１８、キー入力部６で入力された情報を電気光学的に表示するように構成されている。この表示パネル１７は、その下面に配置されたＥＬ発光パネル（エレクトロルミネッセンス発光パネル）１９によって下面側から照明されると共に、保持部材２０によってＥＬ発光パネル１９とユニット化されている。また、透明なタッチパネル１８は、図２〜図４に示すように、表示パネル１７の表示領域内に入力領域が位置した状態で表示パネル１７上に配置され、表示パネル１７に表示された情報を見ながら、上面に入力ペンなどを押し付けて移動させることにより、そのペン操作に応じて情報が入力されるように構成されている。
【００２６】
シールド部材１６は、図２〜図４に示すように、表示パネル１７の表示領域に対応する個所、つまり上部ケース２の表示用の開口部５に対応する個所を除いて、入力表示部１５の上面側およびその外周部側を覆う上部シールド板２１と、入力表示部１５の下面全体を覆う下部シールド板２２とからなっている。上部シールド板２１は、ステンレスなどの導電性を有する薄い金属板からなり、図４に示すように、表示パネル１７の表示領域に対応する個所に開口部２１ａが設けられ、入力表示部１５の上面、つまりタッチパネル１８の上面における外周部と、入力表示部１５の側面に対応する中ケース１３の外側面とを覆うほぼ枠状に形成されている。
【００２７】
すなわち、上部シールド板２１は、図３および図４に示すように、その側面に設けられた係止孔２１ｂが中ケース１３の外側面に設けられた係止突起（図示せず）に係脱可能に係合することにより、タッチパネル１８の上面における外周部に配置された状態で、中ケース１３に取り付けられるように構成されている。また、下部シールド板２２は、上部シールド板２１と同様、ステンレスなどの導電性を有する薄い金属板からなり、入力表示部１５の下面全体を覆うほぼ平板状に形成されている。
【００２８】
また、シールド部材１６には、図２および図３に示すように、防水性を有するクッション部材２３が設けられている。このクッション部材２３は、上部シールド板２１の下面に設けられた枠状の第１クッション材２４と、この第１クッション材２４に対応する上部シールド板２１の上面に設けられた枠状の第２クッション材２５と、下部シールド板２２の下面から側面に亘って設けられたほぼトレイ形状の第３クッション材２６とからなっている。これら第１〜第３クッション材２４〜２６は、それぞれ防水性および弾性を有するゴムなどの合成樹脂からなっている。
【００２９】
この場合、第１クッション材２４は、両面接着テープなどの接着剤によって上部シールド板２１の下面に接着され、この状態で図４および図５に示すように入力表示部１５の上面、つまりタッチパネル１８の上面における外周部に配置されるように構成されている。また、第２クッション材２５は両面接着テープなどの接着剤によって上部シールド板２１の上面に接着され、この状態で図４および図５に示すように本体ケース１の内面、つまり上部ケース２の開口部５の縁部における下面に配置されるように構成されている。第３クッション材２６は、図４に示すように、下部シールド板２２に下側から嵌着され、中ケース１３のパネル収納部１４内に密着して配置されるように構成されている。
【００３０】
そして、第１〜第３クッション材２４〜２６は、シールド部材１６で覆われた入力表示部１５を中ケース１３のパネル収納部１４内に配置して、中ケース１３が上部ケース２にビス（図示せず）によって締め付けられて取り付けられたときに、第２クッション材２５が上部ケース２の開口部５の縁部における下面と上部シールド板２１の上面との間で圧縮され、第１クッション材２４が上部シールド板２１の下面と入力表示部１５のタッチパネル１８の上面との間で圧縮され、第３クッション材２６が入力表示部１５の表示パネル１７の下面側、つまり表示パネル１７の下面に配置されたＥＬ発光パネル１９の下面と中ケース１３のパネル収納部１４の底部との間で圧縮され、この状態で固定されるように構成されている。
【００３１】
また、シールド部材１６は、中ケース１３の下面にビス３１によって取り付けられた回路基板２８のグランド電極２８ａに接続部材２７によって電気的に接続されている。すなわち、この接続部材２７は、回路基板２８のグランド電極２８ａに固定される板ばね２９と、回路基板２８のグランド電極２８ａと下部シールド板２２の下面とに弾接するコイルばね３０とからなっている。この場合、板ばね２９は、図２および図６に示すように、回路基板２８のグランド電極２８ａにビス３１によって起立した状態で固定され、その先端部２９ａが中ケース１３の外側面に係止された上部シールド板２１の外側面に弾接し、これにより上部シールド板２１と回路基板２８のグランド電極２８ａとを電気的に接続するように構成されている。
【００３２】
また、コイルばね３０は、図２および図４に示すように、中ケース１３と第３クッション材２６とにそれぞれ対応して設けられた開口部３２を通して、下部シールド板２２と回路基板２８との間に配置され、その上端部が下部シールド板２２の下面に弾接すると共に、下端部が回路基板２８のグランド電極２８ａに弾接することにより、下部シールド板２２と回路基板２８のグランド電極２８ａとを電気的に接続するように構成されている。
【００３３】
次に、このような携帯情報端末機を組み立てる場合について説明する。
まず、表示パネル１７の下面にＥＬ発光パネル１９を配置して保持部材２０でユニット化し、このユニット化された表示パネル１７の上面にタッチパネル１８を重ね合わせて入力表示部１５を構成する。そして、この入力表示部１５の下面側、つまり表示パネル１７の下面側にシールド部材１６の下部シールド板２２を装着すると共に、この下部シールド板２２の下面側にクッション部材１６の第３クッション材２６を嵌合させる。この状態で、入力表示部１５、下部シールド板２２、および第３クッション材２６を中ケース１３のパネル収納部１４内に配置する。
【００３４】
そして、シールド部材１６の上部シールド板２１の上下面に、第１、第２クッション材２４、２５を両面接着テープなどで接着し、この上部シールド板２１を入力表示部１５の上面側、つまりタッチパネル１８の上面側から中ケース１３の外側面に亘って配置して、中ケース１３の外側面に設けられた係止突起に上部シールド板２１の側面に設けられた係止孔２１ｂを係合させる。これにより、上部シールド板２１が、タッチパネル１８の上面における外周部に配置された状態で、中ケース１３に取り付けられる。
【００３５】
この後、中ケース１３の下面に回路基板２８をビス３１によって取り付ける。このときには、回路基板２８の各グランド電極２８ａに接続部材２７の板ばね２９とコイルばね３０とを配置し、この状態で回路基板２８を中ケース１３にビス３１で取り付ける。これにより、板ばね２９は、ビス３１によって回路基板２８のグランド電極２８ａに起立して固定され、この固定された板ばね２９の先端部２９ａがシールド部材１６の上部シールド板２１の外側面に弾接して、回路基板２８のグランド電極２８ａと上部シールド板２１とを電気的に接続する。これと同時に、コイルばね３０は、中ケース１３と第３クッション材２６とにそれぞれ対応して設けられた開口部３２を通して下部シールド板２２と回路基板２８との間に配置され、これにより回路基板２８のグランド電極２８ａと下部シールド板２２とを電気的に接続する。
【００３６】
この状態で、中ケース１３を本体ケース１の上部ケース２内に取り付ける。このときには、中ケース１３のパネル収納部１４内に収納された入力表示部１５を上部ケース２の開口部５に対応させて配置し、この状態で中ケース１３を上部ケース２にビス止めする。すると、ビス（図示せず）の締め付けによって第２クッション材２５が上部ケース２の開口部５の縁部における下面と上部シールド板２１の上面との間で圧縮され、第１クッション材２４が上部シールド板２１の下面と入力表示部１５のタッチパネル１８の上面との間で圧縮され、第３クッション材２６が入力表示部１５の表示パネル１７の下面つまりＥＬ発光パネル１９の下面と中ケース１３のパネル収納部１４の底面との間で圧縮され、これにより第１〜第３クッション材２４〜２６が固定される。なお、この後は、上部ケース２の下側に下部ケース３を重ね合わせて取り付ければ良い。
【００３７】
このように、この携帯情報端末機によれば、表示パネル１７の表示領域に対応する個所を除いて、入力表示部１５を上部シールド板２１で覆い、この入力表示部１５の上面における外周部とこれに対応する上部シールド板２１の下面との間に第１クッション材２４を配置すると共に、上部シールド板２１の上面と本体ケース１の上部ケース２の下面との間に第２クッション材２５を配置したので、外部からの衝撃を上部シールド板２１の上面と上部ケース２の下面との間の第２クッション材２５で吸収することができると共に、この第２クッション材２５で吸収しきれない衝撃を上部シールド板２１の下面と入力表示部１５の上面つまりタッチパネル１８の上面との間の第１クッション材２４で更に吸収することができ、これにより衝撃を確実に吸収することができる。
【００３８】
特に、入力表示部１５の下面側を覆う下部シールド板２２の下面全体に亘って第３クッション材２６が設けられていることにより、第１、第２クッション材２４、２５によって吸収しきれない衝撃を第３クッション材２６によっても吸収することができるので、より一層、衝撃を確実に吸収することができ、耐衝撃性の高いものを得ることができる。この場合、第１〜第３クッション材２４〜２６は、防水性を有しているので、入力表示部１５と上部シールド板２１との間、および上部シールド板２１と上部ケース２との間の防水性をも確保することができるほか、中ケース１３を上部ケース２にビス（図示せず）によって締め付けて取り付けることにより、第１〜第３クッション材２４〜２６が圧縮されて固定されているので、経年変化によって両面接着テープなどの接着剤が劣化しても、防水性の低下を防ぐことができ、これにより極めて防水性の高いものを得ることができる。
【００３９】
また、この携帯情報端末機では、入力表示部１５を覆うシールド部材１６が、表示パネルの表示領域に対応する個所を除いて、入力表示部１５の上面側を覆う上部シールド板２１と、入力表示１５の下面側を覆う下部シールド板２２とを備えているので、本体ケース１の外部から上部ケース２の上面に静電気が印加されて上部ケース２の開口部５から入力表示部１５の上面つまりタッチパネル１８の上面に流れ込むときに、その静電気を上部シールド板２１でシールドすることができると共に、本体ケース１内で発生した静電気が入力表示部１５の下面つまり表示パネル１７の下面に流れ込むときに、その静電気を下部シールド板２２でシールドすることができる。
【００４０】
この場合には、特に上部シールド板２１が接続部材２７の板ばね２９によって回路基板２８のグランド電極２８ａに電気的に接続され、下部シールド板２２が接続部材２７のコイルばね３０によって回路基板２８のグランド電極２８ａに電気的に接続されているので、入力表示部１５の上下面側に静電気が流れ込むときに、その静電気を上部シールド板２１および下部シールド板２２から接続部材２７の板ばね２９およびコイルばね３０によって回路基板２８のグランドに落すことができる。このため、静電気が入力表示部１５をその厚み方向に通過するのを防ぐことができるので、表示パネル１７における静電気によるノイズの発生を防ぐことができ、これにより入力表示部１５に対する静電気対策を確実に図ることができる。
【００４１】
また、接続部材２７の板ばね２９は、回路基板２８のグランド電極２８ａに固定されて上部シールド板２１の外側面に弾接し、コイルばね３０は、回路基板２８のグランド電極２８ａと下部シールド板２２との間に配置されてその両方に弾接する構造であるから、シールド部材１６が上部シールド板２１と下部シールド板２２とに分割されていても、接続配線を引き回す必要がなく、板ばね２９とコイルばね３０とによって上部シールド板２１と下部シールド板２２とを回路基板２８のグランド電極２８ａに簡単に且つ確実に接続することができ、これにより組み立て作業性の向上をも図ることができる。
【００４２】
さらに、この携帯情報端末機では、表示パネル１７の上面に入力機能を有する透明なタッチパネル１８が配置されていることにより、表示機能と入力機能とを重ね合わせることができ、これにより本体ケース１をコンパクトに構成することができると共に、タッチパネル１８が、表示パネル１７の表示領域に対応する個所を除いて、シールド部材１６で表示パネル１７と共に覆われているので、表示パネル１７の上面にタッチパネル１８が配置されていても、タッチパネル１８および表示パネル１７に対する防水性および耐衝撃性を確保することができると共に、静電気対策をも確保することができる。
【００４３】
なお、上記実施形態では、電子機器として、携帯情報端末機に適用した場合について述べたが、これに限らず、携帯電話機、電子辞書、ＰＤＡ（パーソナル・デジタル・アシスタント）などの各種の電子機器に広く適用することができる。
【図面の簡単な説明】
【００４４】
【図１】この発明を適用した携帯情報端末機の外観斜視図である。
【図２】図１のＡ−Ａ矢視における拡大断面図である。
【図３】図２の内部構造を示した斜視図である。
【図４】図３の要部を分解した斜視図である。
【図５】図２における入力表示部と上部ケースとの間の構造を示した要部の拡大断面図である。
【図６】図２における上部シールド板と回路基板とを接続する板ばねの取付状態を示した要部の拡大断面図である。
【符号の説明】
【００４５】
１  本体ケース
２  上部ケース
３  下部ケース
５  表示用の開口部
１３  中ケース
１４  パネル収納部
１５  入力表示部
１６  シールド部材
１７  表示パネル
１８  タッチパネル
２１  上部シールド板
２２  下部シールド板
２３  クッション部材
２４〜２６  第１〜第３クッション材
２７  接続部材
２８  回路基板
２８ａ  グランド電極
２９  板ばね
３０  コイルばね
【図１】
2005209868.tif 000003
【図２】
2005209868.tif 000004
【図３】
2005209868.tif 000005
【図４】
2005209868.tif 000006
【図５】
2005209868.tif 000007
【図６】
2005209868.tif 000008